(57)【要約】【課題】周辺部材の配置状態に係わらず回転側カバー部を十分に開くことができるカバーを提供する。【解決手段】内部部品の外周を被う固定側カバー部２と、内部部品の外周を被う閉位置と前記内部部品の外周を開放する開位置との間で変移する回転側カバー部１０とを備え、回転側カバー部１０と固定側カバー部２に、軸支持方向が異なる第１及び第２軸受け部６，１３，７、１４をそれぞれ設け、軸支持方向が同じ双方の第１軸受け部６、１３又は第２軸受け部７，１４に選択的に支持軸２０を軸支した。【選択図】図１
2012033322.tif 000002
【特許請求の範囲】
【請求項１】
内部部品の外周を被う固定側カバー部と、前記内部部品の外周を被う閉位置と前記内部部品の外周を開放する開位置との間で変移する回転側カバー部とを備え、
前記回転側カバー部と前記固定側カバー部若しくは前記内部部品に、軸支持方向が異なる複数の軸受け部をそれぞれ設け、軸支持方向が同じ双方の前記軸受け部に選択的に支持軸を軸支したことを特徴とするカバー。
【請求項２】
請求項１記載のカバーであって、
前記軸受け部の複数の軸支持方向は、水平方向と垂直方向であることを特徴とするカバー。
【請求項３】
請求項１記載のカバーであって、
固定側の前記軸受け部は、前記固定側カバー部に設けられたことを特徴とするカバー。
【発明の詳細な説明】
【技術分野】
【０００１】
本発明は、第１カバー部と第２カバー部間が回転自在に支持されたカバーに関する。
【背景技術】
【０００２】
車両等に搭載されるバッテリーには、直接ヒューズユニットが付設されるものがある。バッテリーのバッテリーポストやヒューズユニットの端子部等が露出状態であると、水、塵によって腐食等が発生するため、バッテリーのヒューズユニットが付設された箇所の上部をカバーであるバッテリーカバーで被うことが一般的に行われる（特許文献１、特許文献２参照）。
【０００３】
この種のバッテリーカバーの一従来例として、図８に示すものがある。このバッテリーカバー５０は、ヒューズユニット７０の下半分の外周を被う固定側カバー部５１と、ヒューズユニット７０の上半分の外周とバッテリー接続端子８０とバッテリポスト（図示せず）を被う回転側カバー部６０とを備えている。ヒューズユニット７０は、バッテリーポスト（図示せず）にバッテリー接続端子８０を介して固定されている。ヒューズユニット７０には、水平方向に沿って軸支持する固定側軸受け部７１が設けられている。固定側カバー部５１は、ヒューズユニット７０に対して垂直方向にスライド自在である。固定側カバー部５１の上端部には、支持軸離脱防止片５２が突設されている。回転側カバー部６０には、水平方向に沿って軸支持する軸受け部６１が設けられている。この軸受け部６１には、支持軸６２が軸支されている。
【０００４】
図８の矢印で示すように、回転側カバー部６０側の支持軸６２を固定側軸受け部７１に軸支する。次に、図９の矢印で示すように、固定側カバー部５１を上方にスライド移動する。すると、固定側カバー部５１の支持軸離脱防止片５２が固定側軸受け部７１の開口を塞ぎ、支持軸６２が固定側軸受け部７１より離脱することなく軸支される。
【０００５】
回転側カバー部６０は、ヒューズユニット７０等の上面側を閉塞する閉位置と、ヒューズユニット７０等の上面側を開放する開位置との間で支持軸６２を支点として回転できる。ヒューズ点検以外の時には回転側カバー部６０を閉位置とし、ヒューズユニット７０等を水、塵等による腐食から極力防止できる。ヒューズ点検時・部品交換時には回転側カバー部６０を開位置とし、ヒューズ（図示せず）の視認、部品交換等を行うことができる。
【先行技術文献】
【特許文献】
【０００６】
【特許文献１】特開平１１−２５０９５１号公報
【特許文献２】特開平８−７９７４号公報
【発明の概要】
【発明が解決しようとする課題】
【０００７】
しかしながら、前記従来例では、図９に示すように、回転側カバー部６０が垂直方向、つまり、ヒューズユニット７０の上方向にしか回転できないため、ヒューズユニット７０の上方近傍に周辺部材（例えば天井）８１が位置する場合には、回転側カバー部６０を十分な開度で開くことができない。周辺部材８１の配置状態によっては、回転側カバー部６０をほとんど開くことができないという問題がある。
【０００８】
そこで、本発明は、前記した課題を解決すべくなされたものであり、周辺部材の配置状態に係わらず回転側カバー部を十分に開くことができるカバーを提供することを目的とする。
【課題を解決するための手段】
【０００９】
本発明は、内部部品の外周を被う固定側カバー部と、前記内部部品の外周を被う閉位置と前記内部部品の外周を開放する開位置との間で変移する回転側カバー部とを備え、前記回転側カバー部と前記固定側カバー部若しくは前記内部部品に、軸支持方向が異なる複数の軸受け部をそれぞれ設け、軸支持方向が同じ双方の前記軸受け部に選択的に支持軸を軸支したことを特徴とする。
【００１０】
前記軸受け部の複数の軸支持方向は、水平方向と垂直方向である場合を含む。
【００１１】
固定側の前記軸受け部は、前記固定側カバー部に設けることが好ましい。
【発明の効果】
【００１２】
本発明によれば、周辺部材の配置状態に応じて回転側カバー部の回転方向を可変できるため、周辺部材の配置状態に係わらず回転側カバー部を十分に開くことができる。
【図面の簡単な説明】
【００１３】
【図１】本発明の一実施形態を示し、バッテリーカバーの分解斜視図である。
【図２】本発明の一実施形態を示し、垂直回転方向に設定したバッテリーカバーの平面図である。
【図３】本発明の一実施形態を示し、図２のＡ部拡大図である。
【図４】本発明の一実施形態を示し、垂直回転方向に設定したバッテリーカバーの斜視図である。
【図５】本発明の一実施形態を示し、水平回転方向に設定したバッテリーカバーの平面図である。
【図６】本発明の一実施形態を示し、図５のＢ部拡大図である。
【図７】本発明の一実施形態を示し、水平回転方向に設定したバッテリーカバーの斜視図である。
【図８】従来例を示し、バッテリーカバーの組み付け過程の断面図である。
【図９】従来例を示し、バッテリーカバーの組み付け過程の断面図である。
【発明を実施するための形態】
【００１４】
以下、本発明の一実施形態を図面に基づいて説明する。
【００１５】
図１において、カバーであるバッテリーカバー１は、バッテリー直付けのヒューズユニット（図示せず）を保護するものである。バッテリー直付けのヒューズユニット（図示せず）は、バッテリ−ポスト（図示せず）にバッテリ接続端子（図示せず）を介して固定される。具体的には、バッテリーカバー１は、バッテリポスト（図示せず）、内部部品であるバッテリ接続端子（図示せず）、同じく内部部品であるヒューズユニット（図示せず）を保護する。以下、バッテリーカバー１の構成を説明する。
【００１６】
バッテリーカバー１は、固定側カバー部２と回転側カバー部１０と支持軸２０と軸抜け止め輪２１とを備えている。
【００１７】
固定側カバー部２は、上面壁３と、この上面壁３の三方の縁端より垂設された側面壁４と、側面壁４より内側で上面壁３より垂設された補助垂下壁５とを有する。固定側カバー部２は、ヒューズユニット（図示せず）の一部上半分と下部分のほぼ全体を被う。固定側カバー部２は、回転側カバー部１０側が開放面とされている。上面壁３の上面の開放端近傍には、軸貫通孔６ａを有する第１軸受け部６が設けられている。軸貫通孔６ａは、水平方向を軸芯とする円孔であり、第１軸受け部６は水平方向を軸支持方向とする。補助垂下壁５の外面の開放端近傍には、軸貫通孔７ａを有する第２軸受け部７が設けられている。軸貫通孔７ａは、垂直方向を軸芯とする円孔であり、第２軸受け部７は垂直方向を軸支持方向とする。
【００１８】
回転側カバー部１０は、上面壁１１と、この上面壁１１の三方の縁端より垂設された側面壁１２とを有する。回転側カバー部１０は、閉位置では、ヒューズユニット（図示せず）の一部上半分とバッテリ接続端子（図示せず）とバッテリポスト（図示せず）を被う。回転側カバー部１０は、固定側カバー部２側が開放面とされている。上面壁１１の上面の開放端近傍には、軸貫通孔１３ａを有する第１軸受け部１３が設けられている。軸貫通孔１３ａは、水平方向を軸芯とする円孔であり、第１軸受け部１３は水平方向を軸支持方向とする。側面壁１２の外面の開放端近傍には、軸貫通孔１４ａを有する第２軸受け部１４が設けられている。軸貫通孔１４ａは、垂直方向を軸芯とする円孔であり、第２軸受け部１４は水平方向を軸支持方向とする。
【００１９】
支持軸２０は、固定側カバー部２と回転側カバー部１０の双方の第１軸受け部６，１３間と双方の第２軸受け部７，１４間を選択的に軸支できる。
【００２０】
軸抜け止め輪２１は、支持軸２０の先端部に固定可能である。軸抜け止め輪２１は、支持軸２０の第１及び第２軸受け部６，１３，７，１４からの脱落を防止できる。
【００２１】
上記構成において、ヒューズユニット（図示せず）の側面近傍に周辺部材（図示せず）が位置する場合には、図２及び図３に示すように、固定側カバー部２と回転側カバー部１０の第１軸受け部６，１３間に支持軸２０を通し、支持軸２０の先端に軸抜け止め輪２１を固定する。これにより、回転側カバー部１０は、図４の矢印方向で示す如く垂直方向に回転し、ヒューズユニット（図示せず）等の外周を被う閉位置と、ヒューズユニット（図示せず）等の外周を開放する開位置との間を移動する。従って、回転側カバー部１０をヒューズユニット（図示せず）の側面近傍の周辺部材（図示せず）に干渉することなく十分に開くことができる。
【００２２】
ヒューズユニット（図示せず）の上面近傍に周辺部材（図示せず）が位置する場合には、図５及び図６に示すように、固定側カバー部２と回転側カバー部１０の第２軸受け部７，１４間に支持軸２０を通し、支持軸２０の先端に軸抜け止め輪２１を固定する。これにより、回転側カバー部１０は、図７の矢印方向で示す如く水平方向に回転し、水平方向に回転してヒューズユニット（図示せず）等の外周を被う閉位置と、ヒューズユニット（図示せず）等の外周を開放する開位置との間を移動する。従って、回転側カバー部１０をヒューズユニット（図示せず）の上面近傍の周辺部材（図示せず）に干渉することなく十分に開くことができる。
【００２３】
回転側カバー部１０の回転時に、回転側カバー部１０がヒューズユニット（図示せず）等に干渉する位置関係である場合には、固定側カバー部２をヒューズユニット（図示せず）に対して上方に少しスライドさせた後に、回転側カバー部１０を回転するようにすれば良い。
【００２４】
固定側カバー部２と回転側カバー部１０における第１軸受け部６，１３と第２軸受け部７，１４の軸支持方向は、水平方向と垂直方向であるので、互いに直交する方向に回転側カバー部１０の開閉方向を変更できる。
【００２５】
（変形例）
前記実施形態では、軸受け部６，７，１３，１４の軸支持方向は、水平方向と垂直方向であるが、それ以外の方向であっても良く、又、軸受け部を３方向以上に設けても良い。
【００２６】
前記実施形態では、固定側の第１軸受け部６と第２軸受け部７は、固定側カバー部２に設けたが、ヒューズユニット（図示せず）やバッテリー接続端子（図示せず）の内部部品に設けても良く、又、固定側カバー部２と内部部品に分けて設けても良い。但し、前記実施形態のように固定側カバー部２に設ける方が、バッテリーカバー１を一体として取り扱うことができるため、組み付け性、取り扱い性に優れている。
【００２７】
前記実施形態では、カバーはバッテリーカバー１であるが、本発明は、それ以外のカバーにも適用できることはもちろんである。
【符号の説明】
【００２８】
１  バッテリーカバー（カバー）
２  固定側カバー部
６，１３  第１軸受け部（軸受け部）
７，１４  第２軸受け部（軸受け部）
１０  回転側カバー部
２０  支持軸
【図１】
2012033322.tif 000003
【図２】
2012033322.tif 000004
【図３】
2012033322.tif 000005
【図４】
2012033322.tif 000006
【図５】
2012033322.tif 000007
【図６】
2012033322.tif 000008
【図７】
2012033322.tif 000009
【図８】
2012033322.tif 000010
【図９】
2012033322.tif 000011